【事件の表示】
　平成１年特許願第１１４１６号「電気制御装置用の表示操作ユニット」拒絶査定に対する審判事件（平成２年７月２６日出願公開、特開平２−１９０９０９）について、次のとおり審決する。
【結論】
　本件審判の請求は、成り立たない。
【理由】
（手続きの経緯・本願発明）
　本願は、平成１年１月１９日の出願であって、その請求項１に係る発明は、明細書及び図面の記載からみて、本願の特許請求の範囲第１項に記載された次のとおりのものである。
「１）ドット表示器と、該ドット表示器の前面に配設する透明なスイッチ板と、ユニット本体とからなり、該ユニット本体は、表示画面作成用のデータを含む外部からのコマンドに対応して前記ドット表示器の表示画面を作る表示画面作成部と、該表示画面作成部によって起動され、表示画面に含まれるスイッチを特定するための情報をスイッチマトリクスに書込み更新するスイッチマトリクス作成部と、前記スイッチ板の押し操作位置を検出する走査部と、該操作部の出力と前記スイッチマトリクスの内容とを照合し、操作されたスイッチを特定して外部に出力信号として出力するスイッチ検出部とを備えることを特徴とする電気制御装置用の表示操作ユニット。」（以下、「本願発明」という。）
（引用例）
　これに対して、原査定の拒絶の理由で引用された特開昭６０−５４０１８号公報（以下、「引用例」という。）には、図面とともに、「以下、本発明を原子力発電プラントにおける原子炉給水制御装置に適用した場合を例にとり」（第２頁上段左欄第１２−１３行）、「第１図は本発明の一実施例を示すプロセス制御装置のブロック図である。図において、１は透明な導電性皮膜を使用した感圧式位置検出装置（以下、タッチスクリーンと称す。）、２はＣＲＴ表示装置、３はタッチスクリーン制御装置、４はＣＲＴ制御装置、５はプロセス計算機、６はプロセス入出力装置である。そのプロセス計算機５はプロセス入出力制御装置６からのプロセス信号を入力し、ＣＲＴ制御装置４に対して表示信号を発する。ＣＲＴ制御装置４はＣＲＴ表示装置２に対し、数値もしくはバーチャートなどの表示を行なう。一方、タッチスクリーン制御装置３はタッチスクリーン１上の感圧を電気信号として検知し、これをディジタル信号の形に変換し、Ｘ軸、Ｙ軸位置をプロセス計算機５に送出する。」（第２頁上段左欄第１５行−同右欄第１０行）、「一方、プロセス計算機５に接続されたプロセス入出力制御装置６はプロセス入力の他に制御装置、たとえば給水流量制御装置とかバルブ開閉操作器等とも接続されており、プロセス計算機５は設定値等を接点信号の組み合わせの形でプロセス入出力制御装置６を介してこれらの制御装置に出力する。」（第２頁下段右欄第６−１１行）、「１４はタッチスクリーン入力処理部で、タッチスクリーン制御装置３からのデータを処理し、ＣＲＴ表示部１１を起動する。１５は表示位置記憶部であって、操作器表示のＣＲＴ表示画面上のＸ−Ｙ座標を画面番号に記憶している。ＣＲＴ表示部１１は操作シンボル表示を行なうときに、この表示位置記憶部１５を参照して表示位置を判定する。また、タッチスクリーン入力処理部１４は入力位置判定時同様に表示位置記憶部１５を参照する。第５図はこの表示位置記憶部１５の内容を示したものである。画面番号毎に操作表示器の表示座標Ｘｉｊ、Ｙｉｊを記憶している」（第２頁下段右欄第１８行−第３頁上段左欄第１０行。この部分の引用例の記載を以下、「記載Ａ」という。）、「第８図はＣＲＴ表示装置２上に表示される操作パネル図の他の例を示したものである。〜１７は画面選択操作器表示であって、この図において１〜５の画面選択スイッチを意味する。今、画面選択操作器表示１７の１〜５のどれかの表示に対応したタッチスクリーン１の位置を触れた場合、タッチスクリーン制御装置３は前述のようにＸ−Ｙ座標をプロセス計算機５に転送する。プロセス計算機のタッチスクリーン入力処理部１４はＸ−Ｙ座標より画面選択操作器表示１７のうちのどれかを判断し、画面番号をＣＲＴ表示部１１に送る。ＣＲＴ表示部１１は画面番号に従った画面、即ち、第７図においては給水制御にかかわる２つの事前に定められたプロセス量、たとえばタービン駆動原子炉給水ポンプ流量Ａ、Ｂに関するデータを表示する。ＣＲＴ表示部１１の作用は現在値、設定値に関する限り、画面番号に応じた動作を行うことで前述と同様であるが」（第３頁下段左欄第１８行−同下段右欄第１８行。同じくこの部分の記載を以下、「記載Ｂ」という。）と記載されている。
　これらの事実によれば、引用例には、表示操作の作用を行なうものであって、原子力発電プラントにおける原子炉給水制御装置に適用したプロセス制御装置が記載され、タッチスクリーン制御装置３・ＣＲＴ制御装置４・プロセス計算機５・プロセス入出力制御装置６が制御機能部を構成し、そのＣＲＴ表示部１１はＣＲＴ表示装置２の表示画面を作り、また、表示位置記憶部１５に記憶される表示座標Ｘｉｊ、Ｙｉｊは、該表示画面に含まれる操作器表示２ｃ、２ｅ、２ｆ（操作シンボル表示）を特定し、透明な感圧式位置検出装置１（タッチスクリーン）は該ＣＲＴ表示装置２の前面に配設され、該タッチスクリーン１は感圧式であるから当然押し操作が行なわれるものであって、タッチスクリーン制御装置３は該タッチスクリーン１の押し操作位置を検出し、タッチスクリーン入力処理部１４は該タッチスクリーン制御装置３からのＸ、Ｙ座標値の出力と表示位置記憶部１５にあらかじめ記憶している内容である操作器の表示位置と照合し、操作された操作器表示を特定して給水制御装置などの外部に出力信号として出力するものと認められる。
　そして、引用例における、特に第８図の操作パネル図の他の例を示したものについて考察すると、画面選択操作器表示１７，即ち１〜５の画面選択スイッチの操作に対応して該ＣＲＴ表示装置２の表示画面が作られることは明らかであるから、
結局引用例には、
「ＣＲＴ表示装置２と、該ＣＲＴ表示装置の前面に配設する透明なタッチスクリーン１と、制御機能部（タッチスクリーン制御装置３・ＣＲＴ制御装置４・プロセス計算機５・プロセス入出力制御装置６）とからなり、該制御機能部は、画面選択器表示１７（画面選択スイッチ１〜５）に対応して前記ＣＲＴ表示装置の表示画面を作るＣＲＴ表示部１１と、表示画面に含まれる操作器表示２ｃ、２ｅ、２ｆ（操作シンボル表示）を特定するための情報をあらかじめ記憶している表示位置記憶部１５と、前記タッチスクリーンの押し操作位置を検出するタッチスクリーン制御装置３と、該タッチスクリーン制御装置の出力と前記表示位置記憶部の内容とを照合し、操作された操作器表示を特定して外部に出力信号として出力するタッチスクリーン入力処理部１４とを備える原子力発電プラントにおける原子炉給水制御装置用のプロセス制御装置」
が記載されているものと認める。
（対比）
　そこで、本願発明と引用例に記載されたものとを対比すると、本願発明のドット表示器、スイッチ板、ユニット本体、表示画面作成部、スイッチ、走査部、およびスイッチ検出部が、それぞれその機能からみて、引用例のＣＲＴ表示装置２，タッチスクリーン１，制御機能部３・４・５・６、ＣＲＴ表示部１１、操作器表示２ｃ・２ｅ・２ｆ、タッチスクリーン制御装置３、およびタッチスクリーン入力処理部１４に相当することが明らかであり、また、引用例のプロセス制御装置は表示操作の作用を行なうものであるから、本願発明の総括的な構成である表示操作ユニットは引用例のプロセス制御装置に相当する。
　そうすると、両者は次の３点でのみ相違し、その他の点で一致する。
（１）本願発明の表示操作ユニットは電気制御装置用であるのに対し、引用例のものは原子力発電プラントにおける原子炉給水制御装置に適用したものである点。
（２）本願発明の表示画面は表示画面作成用のデータを含む外部からのコマンドに対応して作られるのに対し、引用例の表示画面は画面選択器表示１７（画面選択スイッチ１〜５）に対応して作られる点。
（３）本願発明は「表示画面作成部によって起動され、表示画面に含まれるスイッチを特定するための情報をスイッチマトリクスに書込み更新するスイッチマトリクス作成部」を備え、走査部の出力は該マトリクス作成部で作成されたマトリクスの内容と照合されるのに対し、引用例はスイッチを特定するための情報はあらかじめ表示位置記憶部１５に記憶され、タッチスクリーン制御装置３からの出力は該表示位置記憶部１５に記憶された情報（表示座標Ｘｉｊ、Ｙｉｊ）と照合されるものであり、かかるスイッチマトリクス作成部の構成は記載されていない点。
（判断）
　上記各相違点につき検討する。
・相違点（１）について
　表示操作ユニットを単なる電気制御装置に用いたものは出願前きわめて周知であり、かつ、このように電気制御装置に用いた点に格別の意義が存在するものとも解されないから、本願発明の上記相違点（１）は単なる用途の転換にすぎない。
・相違点（２）について
　引用例の画面選択スイッチ（１〜５）も表示画面を作るコマンドを形成するものであり、それに対応してＣＲＴ表示部１１に送られる画面番号は表示画面作成用のデータに他ならないから、引用例のものも画面作成用のデータを含むコマンドに対応して表示画面が作られるものである。そして、画面作成用のデータを含むコマンドを特に本願発明のように外部からのコマンドとする点に格別の意義および困難性は認められないから、本願発明の上記相違点（２）はコマンドを形成する上での設計上の微差にすぎず、格別なものとはいえない。
・相違点（３）について
　前述の引用例の記載「Ａ」および「Ｂ」からすると、引用例のＣＲＴ表示装置２に表示される選択画面を変更する場合には、希望する画面選択スイッチを押すことにより該スイッチに対応した画面番号がＣＲＴ表示部１１に送られ、該表示部１１はその画面番号に従った画面を表示する。
　この場合、ＣＲＴ表示部１１が参照している表示位置記憶部１５に記憶している操作表示器の表示座標（Ｘｉｊ、Ｙｉｊ）が、希望する画面選択スイッチに対応した画面番号の操作表示器の表示座標に変更されなければならないこと、及び、この参照される表示座標の変更が、画面番号が送られて変更された画面を表示する作用を行なう操作表示器１１の起動によって行なわれることは、ともに自明のことというべきである（このとき、引用例のタッチスクリーン入力処理部１４も入力位置判定時同様にこの変更された表示位置記憶部１５の表示座標を参照することとなる）から、結局引用例に記載のものが、画面変更時にＣＲＴ表示部１１によって起動され、該ＣＲＴ表示部が参照すべき操作表示器の表示座標（表示位置記憶部１５に記憶されている）を変更する何らかの変更手段を備えていることは明らかである。
　そして、このＣＲＴ表示部１１によって起動される表示座標の変更手段を、本願発明のような「表示画面に含まれるスイッチを特定するための情報をスイッチマトリクスに書込み更新するスイッチマトリクス作成部」による手段とすることは、技術常識からすれば、ＣＲＴ表示部１１に該表示部１１が参照すべき情報（即ち表示位置記憶部１５に記憶された操作器の表示座標）を変更する機能を持たせるための当然の設計的事項にすぎず、また、これによる効果も格別なものとは認められないから、本願発明の上記相違点（３）は当業者であれば容易に想到し得た程度のものである。
（むすび）
　以上のとおりであるから、本願請求項１に係る発明は、上記引用例に記載されたものに基づいて、当業者が容易に発明をすることができたものと認められ、特許法第２９条第２項の規定により特許を受けることができない。
　よって、結論のとおり審決する。